(57)【特許請求の範囲】
【請求項１】
前面に操作釦が配設され機器本体に対して着脱可能な操作部材を有する電子機器の操作装置において、
前記機器本体側に回動可能に取り付けられて前記操作部材を前記機器本体に係止するロック部材と、このロック部材と前記操作部材との係止を解除するリリース釦と、前記操作部材を前記機器本体から離脱する方向へ弾性付勢する付勢手段とを備え、前記操作部材の後面には前記ロック部材の回動を許容する凹部が設けられ、この凹部内の相対向する壁部に前記ロック部材を係止する係止部と前記ロック部材に当接可能な当接部とが形成されており、
前記リリース釦の押し込み操作により前記ロック部材が一方向へ回動して前記係止部との係止が解除された後、該リリース釦のさらなる押し込み操作によって前記ロック部材が前記一方向へさらに回動することにより、該ロック部材が前記当接部に当接して前記操作部材を離脱方向へ押圧するように構成したことを特徴とする電子機器の操作装置。
【発明の詳細な説明】
【０００１】
【発明の属する技術分野】
本発明は、車載用音響機器等に用いて好適な電子機器の操作装置に係り、特に、操作部材が機器本体に対して着脱可能に取付けられている電子機器の操作装置に関する。
【０００２】
【従来の技術】
車載用音響機器は機器本体の前面に配置されたノーズとも称される操作部材を備えており、この操作部材の操作面に各種操作釦やＬＣＤ表示素子等が配列されている。通常、この操作部材は機器本体の前面にねじ止め等の手段で固定されているが、特開平７−２５１６８３号公報に記載されているように、操作部材を機器本体に対して着脱可能となした電子機器の操作装置も知られている。このような電子機器の操作装置によれば、例えば駐車中等に操作部材を機器本体から離脱させて所持することにより、自動車内に残された機器本体の内部機構や内部回路の操作が不能状態となるため、機器本体が自動車から盗まれるのを未然に防ぐことができる。
【０００３】
上記公報に開示された電子機器の操作装置は、機器本体の前面における左右両側に掛止部とロック機構とが設けてあり、操作部材の左右両側をこれら掛止部とロック機構にそれぞれ係止できるように構成されている。前記ロック機構は、共通の軸を介して連結されたロック部材および補助部材と、ロック部材を回転操作するリリース釦等で構成され、ロック部材はスプリングによって軸回りの回動付勢力を受けており、補助部材は他のスプリングによって機器本体の前方の押出し付勢力と軸回りの回動付勢力を受けている。
【０００４】
このように概略構成された電子機器の操作装置にあって、操作部材を機器本体に装着する場合は、操作部材の一端側を掛止部に掛止させた後、この掛止部を回動支点として操作部材の他端側を押し込むと、ロック部材と補助部材のそれぞれが操作部材の他端側に係止され、操作部材を機器本体に対して強固に装着することができる。また、操作部材を機器本体から離脱させる場合は、リリース釦の押し込み操作によりロック部材を回転させると、ロック部材と操作部材の係止は解除されるが、補助部材は操作部材との係止を維持したまま機器本体の前方へ押し出されるため、操作部材は掛止部を支点として所定角度だけ回転し、操作部材の他端側が機器本体の前面から所定量突出した仮保持状態となる。そして、この仮保持状態で操作部材を手で掴んで引くと、補助部材が軸回りに回転して操作部材から外れ、そのまま操作部材を引くと掛止部からも外れるため、操作部材を機器本体から取り外すことができる。
【０００５】
【発明が解決しようとする課題】
ところで、このような電子機器の操作装置において、機器本体の前面に飲食物等の流動性のある異物が付着し、この異物が操作部材の背面側を伝わって内部に入り込むと、操作部材の背面側が機器本体に貼り付いてしまうことがある。このように操作部材が機器本体に貼り付いてしまうと、前述した従来技術では、リリース釦を押し込み操作してロック部材と操作部材の係止を解除しても、操作部材が機器本体の前面に突出しなくなり、操作部材を機器本体からスムーズに取り外すことができなくなるという問題があった。
【０００６】
【課題を解決するための手段】
本発明は、操作部材の後面にロック部材の回動を許容する凹部を設けると共に、この凹部内の相対向する壁部に係止部と当接部とを形成し、リリース釦の押し込み操作によりロック部材を一方向へ回動させて係止部との係止を解除した後、リリース釦のさらなる押し込み操作によってロック部材を同方向へさらに回動させることにより、ロック部材を当接部に当接させて操作部材を離脱方向へ押圧することとする。このように構成すると、万が一、操作部材が機器本体に貼り付いていたとしても、リリース釦の押し込み力をロック部材に伝達し、該ロック部材で操作部材を直接押圧することができるため、操作部材を機器本体からスムーズに取り外すことができる。
【０００７】
【発明の実施の形態】
本発明による電子機器の操作装置では、機器本体側に回動可能に取り付けられて操作部材を機器本体に係止するロック部材と、このロック部材と前記操作部材との係止を解除するリリース釦と、前記操作部材を前記機器本体から離脱する方向へ弾性付勢する付勢手段とを備え、前記操作部材の後面には前記ロック部材の回動を許容する凹部が設けられ、この凹部内の相対向する壁部に前記ロック部材を係止する係止部と前記ロック部材に当接可能な当接部とが形成されており、
前記リリース釦の押し込み操作により前記ロック部材が一方向へ回動して前記係止部との係止が解除された後、該リリース釦のさらなる押し込み操作によって前記ロック部材が前記一方向へさらに回動することにより、該ロック部材が前記当接部に当接して前記操作部材を離脱方向へ押圧するように構成した。
【０００８】
このように構成すると、万が一、操作部材が機器本体に貼り付いていたとしても、リリース釦の押し込み力を利用してロック部材で操作部材を直接押圧することができるため、操作部材の貼り付きを強制的に解除し、操作部材を機器本体からスムーズに取り外すことができる。また、操作部材の後面に設けられた凹部内の相対向する壁部に係止部と当接部とが形成されているため、凹部内の限られたスペースの中でロック部材を回動させるだけで、操作部材のロック／ロック解除および機器本体からの押し出し動作を行わせることができ、よって操作部材の貼り付きを解除する機構を含めてロック機構全体を簡略・小型化することができる。
【０００９】
また、前記操作部材に前記ロック部材の移動を許容する凹部を設け、この凹部内にロック部材を係止する係止部と該ロック部材に当接可能な当接部とを設けると、操作部材の貼り付きを解除する機構を含めロック機構全体を簡略化することができる。この場合、前記当接部はロック部材からの押圧力を操作部材に伝達する機能を有し、特に、ロック部材の移動方向と操作部材の離脱方向が異なる場合は、前記当接部をテーパ面に形成すると、ロック部材の駆動力をテーパ面によって操作部材の離脱方向へ変換することができ、操作部材の貼り付きを確実に解除することができる。
【００１０】
【実施例】
実施例について図面を参照して説明すると、図１は車載用音響機器の操作装置を部分的に示す平面図、図２は車載用音響機器をパネル部材側から見た正面図、図３は操作部材の背面図、図４は操作部材を一部断面して示す側面図、図５はパネル部材の部分正面図、図６は押し出し機構の分解斜視図、図７は押し出し機構の動作説明図、図８はリリース釦の動力伝達機構を示す平面図、図９はロック部材の側面図、図１０はロック部材の底面図、図１１はロック部材の断面図、図１２はロック部材の組立順序を示す説明図、図１３〜図１８は操作部材の着脱動作を示す説明図である。
【００１１】
図１と図２に示すように、車載用音響機器の機器本体１は、金属板製のシャーシ２と、シャーシ２の前面にねじ止め等の手段で固定された合成樹脂製のパネル部材３とで構成されており、このパネル部材３に対して操作部材４が着脱可能に取り付けられるようになっている。パネル部材３の前面は操作部材４の配置スペースを除く大部分が操作面３ａとなっており、この操作面３ａにはＣＤ挿入口５とＬＣＤ表示部６および操作釦７等が配設されている。また、操作面３ａの左下隅にはリリース釦８が配設されており、このリリース釦８の先端は操作面３ａから突出している。
【００１２】
図３と図４に示すように、操作部材４の前面には操作釦９や図示せぬ他の操作釦等が配設されており、操作部材４の後面には周囲に鍔部４ａを存して突出部４ｂが形成されている。突出部４ｂの上端には第１の掛止爪１０が形成され、突出部４ｂの下端には第２の掛止爪１１が形成されている。また、突出部４ｂにはコネクタ１２が配設されており、このコネクタ１２を介して操作部材４の操作釦９等と機器本体１の内部回路とが電気的に接続される。さらに、突出部４ｂには保持孔１３と係止孔１４が形成されており、保持孔１３は第１の掛止爪１０の下方に位置し、係止孔１４は第２の掛止爪１１の上方に位置している。この係止孔１４の内部上壁には係止凹部１４ａが形成され、係止孔１４の下端にはテーパ面１４ｂが形成されている。
【００１３】
図５に示すように、パネル部材３の左側部分には操作面３ａよりも一段低い枠部３ｂが形成されており、この枠部３ｂの内側に凹部３ｃが形成されている。凹部３ｃの外形形状は操作部材４の突出部４ｂを挿入できる大きさに形成されており、凹部３ｃ内における上壁の奥部には掛止凹部１５が形成され、凹部３ｃ内における下壁の入口部分には金属板製の保持爪１６が配設されている。また、凹部３ｃには第１ないし第３の貫通孔１７，１８，１９が穿設されており、第１の貫通孔１７は掛止凹部１５の下方に位置し、第２の貫通孔１８は保持爪１６の上方に位置し、第３の貫通孔１９は操作部材４のコネクタ１２を挿通できる大きさに形成されている。さらに、凹部３ｃ内には第２の貫通孔１８を跨ぐようにプッシュバー２０が回転自在に軸支されており、このプッシュバー２０は捩りコイルばね２１によって凹部３ｃの開口端方向への回動力が付与されている。
【００１４】
図１に示すように、パネル部材３の後方に位置するシャーシ２に押し出し機構２２と伝達機構２３およびロック部材２４が配設されている。図６に示すように、押し出し機構２２は合成樹脂製のガイド部材２５と合成樹脂製のクランプバー２６およびコイルスプリング２７とで構成されており、ガイド部材２５はシャーシ２の左側面２ａにねじ止め固定されている。ガイド部材２５には上面を開放した２つ割り形状の第１のガイド突起２５ａと第２のガイド突起２５ｂがそれぞれ形成されており、これら第１および第２のガイド突起２５ａ，２５ｂは所定長さ離れている。クランプバー２６は全体的にクランク状に形成され、先端側と後端側はストッパ部２６ｅを介して連結されている。クランプバー２６の後端側は両ガイド突起２５ａ，２５ｂ内に挿入され、これらガイド突起２５ａ，２５ｂによってパネル部材３の前面と直交する方向へ移動可能に案内されている。クランプバー２６の後端側には第１および第２の突部２６ａ，２６ｂが形成されており、これら突部２６ａ，２６ｂ間に幅狭部２６ｃが形成されている。クランプバー２６の幅狭部２６ｃにはコイルスプリング２７が巻装されており、このコイルスプリング２７の両端はクランプバー２６の両突部２６ａ，２６ｂに掛止されると共に、ガイド部材２５の両ガイド突起２５ａ，２５ｂにも当接可能となっている。また、クランプバー２６の先端側はシャーシ２の前面２ｂとパネル部材３の第１の貫通孔１７を挿通して凹部３ｃ内に延びており（図５参照）、該クランプバー２６の先端にはギャップＧを介して対向する２つ割り形状の保持部２６ｄが形成されている。この保持部２６ｄは操作部材４の保持孔１３と係脱可能であり、保持部２６ｄが保持孔１３内に挿入された状態でギャップＧは狭められ、その反力によって操作部材４は比較的軽いクランプ力でクランプバー２６の先端に保持されるようになっている。
【００１５】
図７に示すように、クランプバー２６に外力が作用していない場合、クランプバー２６の両突部２６ａ，２６ｂに掛止されたコイルスプリング２７の両端はガイド部材２５の両ガイド突起２５ａ，２５ｂに当接しており、クランプバー２６は同図（ｂ）の定位置に安定的に保持される。この定位置からクランプバー２６に矢印Ａ方向の押し込み力が作用すると、クランプバー２６はストッパ部２６ｅがガイド部材２５にほぼ突き当たる位置まで押し込まれ、クランプバー２６は同図（ａ）の固定位置に移動する。その際、コイルスプリング２７の一端はクランプバー２６の第１の突部２６ａに掛止されたままガイド部材２５の第１のガイド突起２５ａから離れると共に、コイルスプリング２７の他端はガイド部材２５の第２のガイド突起２５ｂに当接したままクランプバー２６の第２の突部２６ｂから離れるため、コイルスプリング２７の両端は第１の突部２６ａと第２のガイド突起２５ｂ間で圧縮され、その反力によってクランプバー２６に押し出し方向の力が蓄えられる。また、同図（ａ）の固定位置で矢印Ａ方向の押し込み力が除去されると、クランプバー２６はコイルスプリング２７の蓄力により同図（ｂ）の定位置方向へ押し出されるが、この定位置を過ぎるとコイルスプリング２７の他端がガイド部材２５の第２のガイド突起２５ｂから離れて圧縮されるため、クランプバー２６にコイルスプリング２７から逆方向（引き込み方向）のテンションがブレーキとしてかかり、クランプバー２６は定位置に安定的に保持される。これとは逆に、同図（ｂ）の定位置からクランプバー２６に矢印Ｂ方向の引張り力が作用すると、クランプバー２６はストッパ部２６ｅがシャーシ２の前面２ｂに突き当たる位置まで引き出され、クランプバー２６は同図（ｃ）の従動限界位置に移動する。その際、コイルスプリング２７の一端はガイド部材２５の第１のガイド突起２５ａに当接したままクランプバー２６の第１の突部２６ａから離れると共に、コイルスプリング２７の他端はクランプバー２６の第２の突部２６ｂに掛止されたままガイド部材２５の第２のガイド突起２５ｂから離れるため、コイルスプリング２７の両端は第１のガイド突起２５ａと第２の突部２６ｂ間で圧縮され、その反力によってクランプバー２６に引き込み方向の力が蓄えられる。
【００１６】
図８に示すように、伝達機構２３は合成樹脂製の支持台２８と金属板製の回転板２９とで構成されており、支持台２８はシャーシ２の底面２ｃにねじ止め固定されている。支持台２８には弾性腕２８ａが形成されており、この弾性腕２８ａと他の部分にそれぞれ押え部２８ｂが形成されている。回転板２９は支持台２８上に載置されており、２つの押え部２８ｂによって上方への移動が規制されている。回転板２９の前側には上方に向かって起立する当接部２９ａが折り曲げ形成されており、回転板２９の後側には同じく上方に向かって起立する受部２９ｂが折り曲げ形成されている。回転板２９はシャーシ２の底面２ｃに形成された係合孔３０を支点として回動可能であり、弾性腕２８ａの先端が受部２９ｂに当接することにより、同図の時計回り方向の回動偏倚力が付与されており、これによって当接部２９ａがリリース釦８の後端に接している。したがって、リリース釦８には弾性腕２８ａからの付勢力が回転板２９を介して作用し、同図（ａ）に示すように、非操作時にリリース釦８の先端はパネル部材３の操作面３ａから突出している。また、同図（ｂ）に示すように、リリース釦８の先端を押し込み操作すると、回転板２９が係合孔３０を支点として反時計方向へ回動し、それに伴って支持台２８の弾性腕２８ａが撓む。
【００１７】
図９〜図１１に示すように、ロック部材２４は、合成樹脂製のベース３１と、ベース３１に支軸３２によって回転可能に支承された回転体３３と、回転体３３に支軸３２回りの回動偏倚力を付与する捩りコイルばね３４によって構成されている。ベース３１はシャーシ２の前面２ｂにねじ止め固定されており、先端にストッパ爪３１ａを有する変形可能な腕部３１ｂが形成されている。回転体３３には互いに略直交する方向へ突出するロック爪３３ａと駆動部３３ｂが形成されており、ロック爪３３ａはシャーシ２の前面２ｂとパネル部材３の第２の貫通孔１８を挿通して凹部３ｃ内に達している（図５参照）。回転体３３は捩りコイルばね３４によって一方向へ回動付勢されているが、駆動部３３ｂがストッパ爪３１ａに当接する位置で停止している。この駆動部３３ｂは回転板２９の上方に位置しており、前述したように、リリース釦８の押し込み操作によって回転板２９が回動すると、回転板２９の当接部２９ａが駆動部３３ｂをストッパ爪３１ａから離す方向へ押圧し、それによって回転体３３は捩りコイルばね３４のばね力に抗して回転する。
【００１８】
このように構成されたロック部材２４を組み立てる場合は、まず、図１２（ａ）に示すように、回転板３３を捩りコイルばね３４と共にベース３１に組み込み、回転板３３の駆動部３３ｂをベース３１のストッパ爪３１ａから外した状態で、支軸３２をベース３１と回転板３３および捩りコイルばね３４に挿入する。この場合、捩りコイルばね３４は回転板３３とベース３１からの力を受けない無負荷状態であるため、支軸３２を簡単に挿入することができる。しかる後、回転板３３を図１２（ａ）の矢印方向に回転し、腕部３１ｂの弾性を利用して駆動部３３ｂをストッパ爪３１ａに掛止すると、図１２（ｂ）に示すように、捩りコイルばね３４の両端がベース３１と回転板３３によって圧縮され、ロック部材２４の組み立てが完了する。
【００１９】
次に、上記実施例に係る車載用音響機器の操作装置の動作を主に図１３〜図１８を参照して説明する。
【００２０】
操作部材４がパネル部材３から取り外されている状態では、図１３に示すように、押し出し機構２２のクランプバー２６は図７（ｂ）の定位置にあり、クランプバー２６の先端の保持部２６ｄは凹部３ｃの開口端近くまで突出している。また、回転板３３のロック爪３３ａは凹部３ｃ内で第２の貫通孔１８の上端位置にあり、プッシュバー２０は捩りコイルばね２１によって凹部３ｃの開口端方向へ回動している。
【００２１】
操作部材４をパネル部材３に装着する場合は、操作部材４の突出部４ｂを凹部３ｃ内に挿入して押し込むと、図１４に示すように、操作部材４の係止孔１４に回転板３３のロック爪３３ａが入り込み、該ロック爪３３ａが係止孔１４内の係止凹部１４ａに掛止されると共に、操作部材４の第１の掛止爪１０が凹部３ｃ内の掛止凹部１５に掛止される。すなわち、操作部材４の背面下方の係止孔１４と上端の第１の掛止爪１０の双方が、機器本体１側のロック爪３３ａと掛止凹部１５にそれぞれ掛止されるため、操作部材４はパネル部材３の凹部３ｃ内に強固にロックされて装着される。その際、操作部材４の保持孔１３にクランプバー２６の保持部２６ｄが入り込み、操作部材４がクランプバー２６の先端に保持されると共に、操作部材４の押し込み操作によってクランプバー２６は図７（ａ）の固定位置まで移動する。さらに、プッシュバー２０が操作部材４の突出部４ｂに押圧されるため、プッシュバー２０は捩りコイルばね２１に抗して時計方向へ回動する。
【００２２】
操作部材４をパネル部材３から取り出す場合は、まず、パネル部材３の操作面３ａから突出しているリリース釦８を押す。リリース釦８が押されると、その押し込み力により伝達機構２３の回転板２９が図８（ａ）から図８（ｂ）の方向へ回動し、回転板２９の当接部２９ａが回転体３３の駆動部３３ｂを押圧するため、回転体３３が捩りコイルばね３４のばね力に抗して時計方向へ回動し、図１５に示すように、ロック爪３３ａと係止凹部１４ａとの掛止が解除される。ロック爪３３ａと係止凹部１４ａとの掛止が解除されると、プッシュバー２０が操作部材４の背面下方を凹部３ｃの開口端方向へ付勢するため、操作部材４は上端の鍔部４ａとパネル部材３の枠部３ｂとの当接部分を支点Ｐとして反時計方向へ回動し、この操作部材４の回動により第１の掛止爪１０と掛止凹部１５との掛止が自動的に解除され、操作部材４の下端の第２の掛止爪１１が凹部３ｃの開口端近傍で保持爪１６に掛止される。
【００２３】
その際、クランプバー２６の保持部２６ｄは操作部材４にクランプされたまま図７（ａ）の固定位置から図７（ｂ）の定位置へ移動するため、操作部材４は下端の第２の掛止爪１１と保持爪１６との掛止部分を支点Ｑとして時計方向へ回動し、図１６に示すように、操作部材４の上部がクランプバー２６の押し出しストロークに相当する距離だけ凹部３ｃの開口端方向へ押し出される。すなわち、操作部材４は上端側が大きく傾いた状態で下端側もパネル部材３から突出し、この突出位置では、クランプバー２６の保持部２６ｄによる比較的軽いクランプ力と、第２の掛止爪１１と保持爪１６とによる掛止力の双方で操作部材４がパネル部材３に対して仮保持されることになる。また、クランプバー２６が図７（ａ）の固定位置から図７（ｂ）の定位置へ移動する際、前述したように、一旦定位置を過ぎてコイルスプリング２７が圧縮されることによりブレーキがかかるようにしたので、クランプバー２６が急激に停止することにより、操作部材４の保持孔１３とクランプバー２６の保持部２６ｄとが外れるという不具合はなく、操作部材４の脱落を防止することができる。また、このようにクランプバー２６の保持部２６ｄに強い抜去力が働くことがないため、保持部２６ｄのクランプ力は小さくても良い。
【００２４】
この仮保持状態で操作部材４を手で掴んで引くと、図１７に示すように、クランプバー２６は操作部材４にクランプされたまま図７（ｂ）の定位置から図７（ｃ）の従動限界位置まで移動し、その移動過程でクランプバー２６の保持部２６ｄが操作部材４の保持孔１３から外れ、そのまま操作部材４を引くと第２の掛止爪１１が保持爪１６からも外れるため、操作部材４をパネル部材３から取り外すことができる。
【００２５】
また、図１４に示す操作部材４の装着状態において、飲食物等がパネル部材３の前面から凹部３ｃ内に入り込み、操作部材４の突出部４ｂが凹部３ｃの内壁に貼り付いてしまうと、図１５に示すように、リリース釦８を押し込み操作してロック爪３３ａと係止凹部１４ａとの掛止が解除されても、操作部材４が動かなくなる場合がある。このような場合は、ロック爪３３ａが係止凹部１４ａから外れた後もリリース釦８をさらに押し込み操作すると、図１８に示すように、回転体３３が時計方向へ回動を続け、この回転体３３の一部が係止孔１４下端のテーパ面１４ｂを押圧するため、操作部材４の突出部４ｂを凹部３ｃの内壁から強制的に引き剥がすことができる。すなわち、リリース釦８の押し込み力が回転板２９と回転体３３を介して操作部材４の背面に伝達され、操作部材４の貼り付きが強制的に解除されて図１５に示す状態となるため、操作部材４は前述したように図１６の仮保持状態となりパネル部材３から取り外すことができる。
【００２６】
上記実施例にあっては、リリース釦８を押し込み操作してロック爪３３ａと係止凹部１４ａとの掛止を解除しても操作部材４がパネル部材３に貼り付いて動かない場合は、リリース釦８のさらなる押し込み操作により回転体３３を過回転させ、その一部で操作部材４のテーパ面１４ｂを直接押圧することにより、操作部材４の貼り付きが強制的に解除されるため、操作部材４をパネル部材３からスムーズに取り外すことができる。しかも、かかる操作部材４の貼り付き解除動作は、ロック爪３３ａと係止凹部１４ａとの掛止を解除するために行われるリリース釦８の押し込み操作と一連に行うことができるため、操作性が損なわれることを防止できる。
【００２７】
なお、上記実施例では、回転体３３のロック爪３３ａ近傍を操作部材４のテーパ面１４ｂに当接させることにより、操作部材４を離脱方向へ押圧する場合について説明したが、回転体３３と操作部材４との当接部分の形状はこれに限定されず、要は、回転体３３の回転駆動力が操作部材４の貼り付きを解除する方向へ変換されれば良く、例えば、回転体３３側にテーパ面を形成し、このテーパ面で操作部材４を押圧することも可能であり、あるいは、テーパ面の代わりに曲面を採用することも可能である。
【００２８】
また、上記実施例では、本発明を車載用音響機器の前面の大部分に固定されたパネル部材３に対して操作部材４が着脱可能である電子機器の操作装置に適用した場合について説明したが、車載用音響機器の前面全体が着脱可能な操作部材で覆われている電子機器の操作装置についても適用することができる。
【００２９】
【発明の効果】
本発明は、以上説明したような形態で実施され、以下に記載されるような効果を奏する。
【００３０】
操作部材の後面にロック部材の回動を許容する凹部を設けると共に、この凹部内の相対向する壁部に係止部と当接部とを形成し、リリース釦の押し込み操作によりロック部材を一方向へ回動させて係止部との係止を解除した後、リリース釦のさらなる押し込み操作によってロック部材を同方向へさらに回動させることにより、ロック部材を当接部に当接させて操作部材を離脱方向へ押圧するように構成すると、万が一、操作部材が機器本体に貼り付いていたとしても、リリース釦の押し込み力を利用してロック部材で操作部材を直接押圧することができるため、操作部材の貼り付きを強制的に解除し、操作部材を機器本体からスムーズに取り外すことができ、しかも、操作部材の後面に設けられた凹部内の限られたスペースの中でロック部材を回動させるだけで、操作部材のロック／ロック解除および機器本体からの押し出し動作を行わせることができるため、操作部材の貼り付きを解除する機構を含めてロック機構全体を簡略・小型化することができる。
【図面の簡単な説明】
【図１】実施例に係る車載用音響機器の操作装置を部分的に示す平面図である。
【図２】車載用音響機器をパネル部材側から見た正面図である。
【図３】操作部材の背面図である。
【図４】操作部材を一部断面して示す側面図である。
【図５】パネル部材の部分正面図である。
【図６】押し出し機構の分解斜視図である。
【図７】押し出し機構の動作説明図である。
【図８】リリース釦の動力伝達機構を示す平面図である。
【図９】ロック部材の側面図である。
【図１０】ロック部材の底面図である。
【図１１】ロック部材の断面図である。
【図１２】ロック部材の組立順序を示す説明図である。
【図１３】操作部材がパネル部材から取り外されている状態を示す説明図である。
【図１４】操作部材の装着状態を示す説明図である。
【図１５】操作部材のロック解除状態を示す説明図である。
【図１６】操作部材の仮保持状態を示す説明図である。
【図１７】操作部材をパネル部材から取り外す直前の状態を示す説明図である。
【図１８】操作部材の貼り付きを解除する状態を示す説明図である。
【符号の説明】
１  機器本体
２  シャーシ
３  パネル部材
３ａ  操作面
３ｂ  枠部
３ｃ  凹部
４  操作部材
４ａ  鍔部
４ｂ  突出部
８  リリース釦
１０  第１の掛止爪
１１  第２の掛止爪
１３  保持孔
１４  係止孔
１４ａ  係止凹部
１４ｂ  テーパ面
１５  掛止凹部
１６  保持爪
１７，１８，１９  貫通孔
２０  プッシュバー
２１  捩りコイルばね
２３  押し出し機構
２３  伝達機構
２４  ロック部材
２５  ガイド部材
２５ａ  第１のガイド突起
２５ｂ  第２のガイド突起
２６  クランプバー
２６ａ  第１の突部
２６ｂ  第２の突部
２６ｃ  幅狭部
２６ｄ  保持部
２６ｅ  ストッパ部
２７  コイルスプリング
２８  支持台
２８ａ  弾性腕
２９  回転板
２９ａ  当接部
３１  ベース
３１ａ  ストッパ爪
３２  支軸
３３回転体
３３ａ  ロック爪
３３ｂ  駆動部
３４  捩りコイルばね
【図１】
0003630548.tif 000002
【図２】
0003630548.tif 000003
【図３】
0003630548.tif 000004
【図４】
0003630548.tif 000005
【図５】
0003630548.tif 000006
【図６】
0003630548.tif 000007
【図７】
0003630548.tif 000008
【図８】
0003630548.tif 000009
【図９】
0003630548.tif 000010
【図１０】
0003630548.tif 000011
【図１１】
0003630548.tif 000012
【図１２】
0003630548.tif 000013
【図１３】
0003630548.tif 000014
【図１４】
0003630548.tif 000015
【図１５】
0003630548.tif 000016
【図１６】
0003630548.tif 000017
【図１７】
0003630548.tif 000018
【図１８】
0003630548.tif 000019